(57)【要約】【課題】耐衝撃性が高い電池用端子を提供する。【解決手段】本発明の一形態に係る電池用端子１は、一端部に内部端子３が接合され、他端部に接合部材（例えばボルト４）が設けられた外部端子２を有する電池用端子である。外部端子２には、側方から見て内部端子３と外部端子２との接合部（例えばかしめ部３ａ）における接合部材側の端部が配置された位置を通り、厚さ方向に延びる線と重なる補強部材８が設けられている。補強部材８は、外部端子２において接合部が配置された側に対して逆側に突出することが好ましい。【選択図】図１
2014211967.tif 000002
【特許請求の範囲】
【請求項１】
一端部に内部端子が接合され、他端部に接合部材が設けられた外部端子を有する電池用端子であって、
前記外部端子には、側方から見て前記内部端子と前記外部端子との接合部における接合部材側の端部が配置された位置を通り、厚さ方向に延びる線と重なる補強部材が設けられている電池用端子。
【請求項２】
前記補強部材は、前記外部端子において前記接合部が配置された側に対して逆側に突出する請求項１に記載の電池用端子。
【請求項３】
前記外部端子は、側方から見てクランク形状に形成されている請求項１又は２に記載の電池用端子。
【請求項４】
前記接合部はカシメ部である請求項１乃至３のいずれか１項に記載の電池用端子。
【発明の詳細な説明】
【技術分野】
【０００１】
本発明は、電池用端子に関する。
【背景技術】
【０００２】
図４は、特許文献１に開示されている電池用端子１００を示す概略図である。図４に示す電池用端子１００は、電池を構成する電池モジュールに用いられ、隣接する電池モジュールの電池用端子とバスバー等を介して電気的に接続される。
【０００３】
この電池用端子１００は、側方から見てクランク形状に形成された外部端子１０１を備え、当該外部端子１０１の一端部に内部端子１０２がカシメ接合され、他端部にボルト１０３が通されている。内部端子１０２は、電池モジュールの電池ケース内のセルに電気的に接続される。ボルト１０３は、バスバー等を外部端子１０１の他端部にナットと共に接続する。
【先行技術文献】
【特許文献】
【０００４】
【特許文献１】特開２０１２−１４２２９８号公報
【発明の概要】
【発明が解決しようとする課題】
【０００５】
図４に示す電池用端子１００は、衝撃等によってボルト１０３に外力が作用すると、破線で示すように外部端子１０１が反り返って変形する。これにより、外部端子１０１におけるカシメ部のボルト１０３側の端部に応力集中が生じ、外部端子１０１が破損する場合がある。
【０００６】
本発明は、耐衝撃性が高い電池用端子を提供することを目的とするものである。
【課題を解決するための手段】
【０００７】
本発明の一形態に係る電池用端子は、一端部に内部端子が接合され、他端部に接合部材が設けられた外部端子を有する電池用端子であって、前記外部端子には、側方から見て前記内部端子と前記外部端子との接合部における接合部材側の端部が配置された位置を通り、厚さ方向に延びる線と重なる補強部材が設けられている。
【０００８】
上記の電池用端子において、前記補強部材は、前記外部端子において前記接合部が配置された側に対して逆側に突出することが好ましい。
【０００９】
上記の電池用端子において、前記外部端子は、側方から見てクランク形状に形成されていることが好ましい。
【００１０】
上記の電池用端子において、前記接合部はカシメ部であることが好ましい。
【発明の効果】
【００１１】
以上、説明したように、本発明によると、耐衝撃性が高い電池用端子を提供することができる。
【図面の簡単な説明】
【００１２】
【図１】実施の形態１の電池用端子を概略的に示す側面図である。
【図２】実施の形態１の電池用端子を概略的に示す平面図である。
【図３】実施の形態２の電池用端子を概略的に示す側面図である
【図４】一般的な電池用端子を概略的に示す側面図である。
【発明を実施するための形態】
【００１３】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００１４】
＜実施の形態１＞
先ず、本実施の形態の電池用端子の基本形態を説明する。本実施の形態の電池用端子は、二次電池等の電池モジュールの電池用端子として好適に用いられ、隣接する電池モジュールの電池用端子と電気的に接続される。ここで、図１は、本実施の形態の電池用端子１を概略的に示す側面図である。図２は、本実施の形態の電池用端子１を概略的に示す平面図である。
【００１５】
図１及び図２に示すように、電池用端子１は、外部端子２、内部端子３、ボルト４及び絶縁部材５を備えている。外部端子２は、導電性部材から成る。本実施の形態の外部端子２は、所謂Ｚ型端子であって、幅方向に見て（即ち、側方から見て）クランク形状に形成されている。つまり、外部端子２は、固定片２ａ、接続片２ｂ及び端子片２ｃを備えている。
【００１６】
固定片２ａは、幅方向に見て略水平に延在し、厚さ方向から見て矩形状の板状部材である。この固定片２ａは、内部端子３とで絶縁部材５、電池モジュールにおける電池ケースの蓋体６及び絶縁部材７を挟み込む形態で、当該内部端子３と接合されている。
【００１７】
本実施の形態では、固定片２ａと内部端子３とで絶縁部材５、電池ケースの蓋体６及び絶縁部材７を挟み込むように、固定片２ａに形成された貫通孔に内部端子３の突出部が通されて押し潰されている。その結果、固定片２ａに内部端子３がかしめ接合されている。このように押し潰されて形成された内部端子３のかしめ部３ａの周辺は固定片２ａに溶接接合され、接合強度が確保されている。ちなみに、図示例ではハッチン部分が溶接部である。
【００１８】
接続片２ｂは、固定片２ａと端子片２ｃとを接続する。つまり、接続片２ｂは、固定片２ａの幅寸法と略等しい幅寸法を有し、外部端子２の長手方向に見て矩形状の板状部材である。接続片２ｂの一方の端部は、固定片２ａにおける端子片２ｃ側の端部に接続されている。そして、接続片２ｂの他方の端部は、端子片２ｃにおける固定片２ａ側の端部に接続されている。この接続片２ｂは、略鉛直方向に延在している。ここで、接続片２ｂの高さｈは、端子片２ｃに通されたボルト４の頭部分４ａより高く設定されている。但し、接続片２ｂの配置は鉛直方向に限らず、斜めに配置されていてもよい。
【００１９】
端子片２ｃは、幅方向に見て略水平に延在し、厚さ方向に見て矩形状の板状部材である。つまり、幅方向に見て端子片２ｃは固定片２ａと略平行に配置されている。端子片２ｃは、接続片２ｂの幅寸法と略等しい幅寸法を有する。端子片２ｃには、ボルト４を通す貫通孔が形成されている。
【００２０】
内部端子３は、導電性部材から成る。内部端子３は、図示を省略するが電池ケース内のセルと電気的に接続される。この内部端子３は、絶縁部材７によって電池ケースの蓋体６と絶縁されている。
【００２１】
ボルト４は、端子片２ｃに形成された貫通孔に通されている。詳細には、ボルト４の頭部分４ａが端子片２ｃと電池ケースの蓋体６との間に配置され、絶縁部材５によって支持されている。そして、ボルト４の柱部分４ｂが端子片２ｃの貫通孔を通って電池ケースの蓋体６と逆側に突出している。
【００２２】
このボルト４は、隣接する電池モジュールの電池用端子に接続されたバスバーを端子片２ｃにナットと共に接続する。これにより、電池用端子１は、隣接する電池モジュールの電池用端子に電気的に接続される。
【００２３】
絶縁部材５は、外部端子２及びボルト４を電池ケースの蓋体６から絶縁する。つまり、絶縁部材５は、外部端子２及びボルト４と電池ケースの蓋体６との間に配置される。
【００２４】
次に、本実施の形態の電池用端子１の特徴部分を説明する。図１及び図２に示すように、本実施の形態では、幅方向に見て、内部端子３のかしめ部３ａのボルト４側の端部が配置された位置を通り、厚さ方向に延びる線Ｌ１と重なる補強部材８が、外部端子２に形成されている。言い換えると、厚さ方向に見て、内部端子３のかしめ部３ａのボルト４側の端部が配置された位置を通り、幅方向に延びる線Ｌ２と交差するように、補強部材８は外部端子２に形成されている。
【００２５】
補強部材８は、外部端子２の固定片２ａから立設されている。本実施の形態の補強部材８は、外部端子２の固定片２ａにおいて電池ケースの蓋体６側に対して逆側に突出している。補強部材８は、当該線Ｌ１及びＬ２を跨ぐように外部端子２の長手方向に延在している。そして、補強部材８は、外部端子２の固定片２ａにおける幅方向の両側に配置され、内部端子３のかしめ部３ａにおけるボルト４側の端部を当該固定片２ａの幅方向で挟み込む。つまり、補強部材８は、内部端子３のかしめ部３ａにおけるボルト４側の端部を挟んで向かい合うように配置されている。
【００２６】
このように外部端子２に補強部材８を設けたので、例えば電池の衝撃試験時に外部端子２が反り返って、外部端子２におけるかしめ部３ａのボルト４側の端部に応力集中が生じることを抑制できる。そのため、外部端子２の耐衝撃性を向上させることができ、外部端子２の破損を抑制できる。
【００２７】
ここで、外部端子２の表面に結露が生じたとき、固定片２ａにおける電池ケースの蓋体６側の面に対して逆側の面上に水滴が滞留しないように、補強部材８における外部端子２の長手方向側の長さが可能な限り短く設定されていることが好ましい。
【００２８】
詳細には、図２に示すように、外部端子２の固定片２ａにおける接続片２ｂ側の端部に対して逆側の端部からかしめ部３ａの中心までの長さをａ、外部端子２の固定片２ａにおける接続片２ｂ側の端部に対して逆側の端部から補強部材８におけるボルト４側の端部までの長さをｂ、外部端子２の固定片２ａにおける接続片２ｂ側の端部に対して逆側の端部からかしめ部３ａにおけるボルト４側の端部までの長さをｔ、外部端子２の固定片２ａにおける接続片２ｂ側の端部に対して逆側の端部から接続片２ｂ側の端部までの長さをｕとすると、０＜ａ＜ｔ、且つｔ＜ｂ＜ｕの条件を満たすことが好ましい。
【００２９】
＜実施の形態２＞
【００３０】
本実施の形態の電池用端子は、実施の形態１の電池用端子１と略同様の構成とされているが、補強部材の配置が異なる。ここで、図３は、本実施の形態の電池用端子２１を概略的に示す側面図である。なお、上述のように、本実施の形態の電池用端子２１は、実施の形態１の電池用端子１と略同様の構成とされているため、重複する説明は省略し、同一の要素には同一の符号を用いる。
【００３１】
図３に示すように、本実施の形態の補強部材２２は、外部端子２の固定片２ａにおいて電池ケースの蓋体６側に突出している。これにより、外部端子２の固定片２ａにおける電池ケースの蓋体６と向かい合う面に対して逆側の面上の水滴が滞留することを防ぐことができる。
【００３２】
以上、本発明の実施形態を説明したが、上記の構成に限らず、本発明の技術的思想を逸脱しない範囲で、変更することが可能である。
【００３３】
上記の実施の形態の外部端子２はクランク形状に形成されているが、形状は特に限定されず、例えば平板状に形成されていてもよい。このとき、外部端子２から電池ケースの蓋体６側にボルトが突出しないように、ボルトの柱部分が外部端子２に接合される。
【００３４】
上記の実施の形態の内部端子３は外部端子２にかしめ接合されているが、この限りでなく、溶接等によって接合されてもよい。
【００３５】
上記の実施の形態の電池用端子は、二次電池に適用したが、電池であれば特に限定されない。
【符号の説明】
【００３６】
１  電池用端子
２  外部端子、２ａ  固定片、２ｂ  接続片、２ｃ  端子片
３  内部端子、３ａ  かしめ部
４  ボルト、４ａ  頭部分、４ｂ  柱部分
５  絶縁部材
６  蓋体
７  絶縁部材
８  補強部材
２１  電池用端子
２２  補強部材
１００  電池用端子
１０１  外部端子
１０２  内部端子
１０３  ボルト
【図１】
2014211967.tif 000003
【図２】
2014211967.tif 000004
【図３】
2014211967.tif 000005
【図４】
2014211967.tif 000006